(57)【要約】【課題】両手で左右に引張った際には、ミシン目などの分断線から容易に切り離して内容物を取り出すことができ、他の方法でも容易に内容物を取り出すことができる包装材、すなわち、２種の方法での開封が可能な包装材を提供する。【解決手段】包装用フィルム４０として、フィルム分断線４１ａにより２片に切り離される主フィルムと、フィルム分断線４１ａを覆うように主フィルムの一方の面側に重ねて設けられた帯状フィルムとを少なくとも備えたものを使用する。そして、該包装用フィルム４０には、少なくとも一方の端部近傍部が折曲して形成されたラベル分断線１１により２片に切り離される粘着ラベル１０Ａ，１０Ｂを、主フィルムの他方の面側に、フィルム分断線４１ａとラベル分断線１１とが沿うように貼着した包装材。また、主フィルムの周縁部における帯状フィルムの一端に対応する箇所には、２カ所のノッチ４１ｂ，４１ｃが形成されている。【選択図】  図９
2004244091.tif 000002
【特許請求の範囲】
【請求項１】
フィルム分断線により２片に切り離される主フィルムと、前記フィルム分断線を覆うように前記主フィルムの一方の面側に重ねて設けられた帯状フィルムとを少なくとも備えた包装用フィルムに、
少なくとも一方の端部近傍部が折曲して形成されたラベル分断線により２片に切り離される粘着ラベルが、前記主フィルムの他方の面側に、前記フィルム分断線と前記ラベル分断線とが沿うように貼着された包装材であって、
前記主フィルムの周縁部における前記帯状フィルムの一端に対応する箇所には、帯状フィルムの長さ方向に沿って主フィルムを切り開くノッチが形成されていることを特徴とする包装材。
【請求項２】
前記ノッチは、前記帯状フィルムの幅の間隔で２カ所に形成されていることを特徴とする請求項１に記載の包装材。
【請求項３】
前記ラベル分断線は、両方の端部近傍部が互いに略反対向きに折曲して形成されていることを特徴とする請求項１または２に記載の包装材。
【請求項４】
前記粘着ラベルの粘着面における前記ラベル分断線の周部は、該周部以外の部分よりも、粘着強度が低いことを特徴とする請求項１ないし３のいずれかに記載の包装材。
【請求項５】
前記フィルム分断線と前記ラベル分断線は、いずれも断続的な切断部から形成されていることを特徴とする請求項１ないし４のいずれかに記載の包装材。
【請求項６】
前記ラベル分断線の末端には、前記切断部が形成されていないことを特徴とする請求項５に記載の包装材。
【請求項７】
前記主フィルムまたは帯状フィルムには、前記フィルム分断線に沿う線状の印刷が施されていることを特徴とする請求項１ないし６のいずれかに記載の包装材。
【請求項８】
前記主フィルムは、前記フィルム分断線の方向に沿って裂けやすく形成されていることを特徴とする請求項１ないし７のいずれかに記載の包装材。
【請求項９】
請求項１ないし８のいずれかに記載の包装材で包装されたことを特徴とする食品。
【請求項１０】
おにぎりであることを特徴とする請求項９に記載の食品。
【発明の詳細な説明】
【０００１】
【発明の属する技術分野】
本発明は、コンビニエンスストアなどで販売されるおにぎりなどの包装に好適に使用される包装材と、この包装材で包装された食品に関する。
【０００２】
【従来の技術】
コンビニエンスストアなどの店頭に並んでいる加工食品には、樹脂フィルムなどの包装材で包装されているものが多い。
例えばおにぎりは、具が入ったご飯と海苔とが直に接触しないように樹脂フィルムからなる包装用フィルムに包装されて店頭に並んでいる。このようなおにぎりとしては、消費者が食べる直前に、まず包装用フィルムに設けられているリードテープで包装用フィルムを分断し、ついで、包装用フィルムを両手で左右に引張ることにより、ご飯と海苔とを接触させる形態のものが多く流通している。
また、例えば特許文献１には、包装用フィルムとして方向性の有するものを使用し、これに２カ所のノッチを入れることによって、リードテープを別途設けることなく包装用フィルムを分断できる形態のものが提案されている。
これら従来の包装用フィルムには、おにぎりの中味、価格などを表示するために印刷が施されている場合が多い。
【０００３】
【特許文献１】
特公平６−４０１２号公報
【０００４】
【発明が解決しようとする課題】
しかしながら、このような印刷が包装用フィルムにあらかじめ施されていると、おにぎりを包装する現場において、おにぎりの中味や価格を変更した場合にはその包装用フィルムを使用できなくなるという問題があった。
そのため最近では、印刷の代わりに、おにぎりを包装した後に、おにぎりの中味、価格などを表示するラベルと、加工業者、加工年月日、商品管理用バーコードなどが表示されたラベルとを包装用フィルムに貼ることが増えてきている。
一方、おにぎりの包装用フィルムとしては、リードテープなどで始めに包装用フィルムを分断し、ついで両手で包装用フィルムを左右に引張る従来の形態に代わって、包装用フィルムに分断用のミシン目などを設けておき、消費者が包装用フィルムを両手で左右に引張ってミシン目から切り離すだけの１回の操作で、ご飯と海苔とを接触させられる形態のものが検討され始めている。
【０００５】
ところが、このようにミシン目が設けられた包装用フィルムにラベルを貼ってしまうと、包装用フィルムにあらかじめミシン目を設けていても、容易に切り離すことができなくなり、おにぎりに過剰な力が加わり、おにぎりが潰れてしまう場合があった。
【０００６】
本発明は上記事情に鑑みてなされたもので、粘着ラベルが貼着されていても、両手で左右に引張った際には、ミシン目などの分断線から容易に切り離して内容物を取り出すことができ、しかも、他の方法でも容易に内容物を取り出すことができる包装材、すなわち、２種の方法での開封が可能な包装材を提供することを課題とする。
【０００７】
【課題を解決するための手段】
本発明の包装材は、フィルム分断線により２片に切り離される主フィルムと、前記フィルム分断線を覆うように前記主フィルムの一方の面側に重ねて設けられた帯状フィルムとを少なくとも備えた包装用フィルムに、少なくとも一方の端部近傍部が折曲して形成されたラベル分断線により２片に切り離される粘着ラベルが、前記主フィルムの他方の面側に、前記フィルム分断線と前記ラベル分断線とが沿うように貼着された包装材であって、前記主フィルムの周縁部における前記帯状フィルムの一端に対応する箇所には、帯状フィルムの長さ方向に沿って主フィルムを切り開くノッチが形成されていることを特徴とする。
前記ノッチは、前記帯状フィルムの幅の間隔で２カ所に形成されていることが好ましい。
前記ラベル分断線は、両方の端部近傍部が互いに略反対向きに折曲して形成されていることが好ましい。
前記粘着ラベルの粘着面における前記ラベル分断線の周部は、該周部以外の部分よりも、粘着強度が低いことが好ましい。
前記フィルム分断線と前記ラベル分断線は、いずれも断続的な切断部から形成されていることが好ましい。
前記ラベル分断線の末端には、前記切断部が形成されていないことが好ましい。
前記主フィルムまたは帯状フィルムには、前記フィルム分断線に沿う線状の印刷が施されていることが好ましい。
前記主フィルムは、前記フィルム分断線の方向に沿って裂けやすく形成されていることが好ましい。
本発明の食品は、前記包装材で包装されたことを特徴とする。
前記食品としては、おにぎりが好適である。
【０００８】
【発明の実施の形態】
本発明の包装材は、包装用フィルムに粘着ラベルが貼着されたものである。まず、包装用フィルムについて詳細に説明する。
図１は本発明の包装材に使用される包装用フィルム４０の一例であって、一部を破断した斜視図である。また、図２は図１の包装用フィルム４０の分解図、図３は図１の包装用フィルム４０のＩ−Ｉ”線に沿う断面図である。
この例の包装用フィルム４０は、コンビニエンスストアなどの店頭で販売されるおにぎりを包装するためのものであって、おにぎりを包装した際に外側に位置する外包フィルム（主フィルム）４１と、内側に位置する内包フィルム４２と、外包フィルム４１と内包フィルム４２との間に挟まれた板海苔４３とを有している。
【０００９】
外包フィルム４１は略矩形に形成され、幅（短辺）方向の略中央にはその長さ（長辺）方向にわたって断続的な切断部、いわゆるミシン目からなるフィルム分断線４１ａが形成されていて、外包フィルム４１はフィルム分断線４１ａから幅方向に２片に切り離せるようになっている。なお、この例のフィルム分断線４１ａは、８．５ｍｍ程度の長さの線状の切断部が、０．５ｍｍ程度の間隔をあけて形成されている。また、外包フィルム４１の内面側には、外包フィルム４１に形成されたフィルム分断線４１ａの全長を覆うような帯状フィルム４４が外包フィルム４１に重ねて設けられていて、フィルム分断線４１ａから板海苔４３側への湿気の侵入を防ぎ、板海苔４３が湿気てしまうのを防げるようになっている。なお、この例の帯状フィルム４４は、図４に示すように、外包フィルム４１におけるフィルム分断線４１ａの側方に、溝ロールなどで線状にヒートシールされて外包フィルム４１に取り付けられている。図４中、符号４４ｂで示された部分がヒートシールされた箇所である。また、この帯状フィルム４４には、図示は略すが外包フィルム４１のフィルム分断線４１ａに沿う線状の印刷が施され、外包フィルム４１にフィルム分断線４１ａが形成されていることが、透明な外包フィルムを通して消費者などに目視でわかるようになっている。なお、このような印刷は、帯状フィルム４４ではなく外包フィルム４１に施されていてもよい。
【００１０】
また、この例の外包フィルム４１は、長さ方向に延伸されたポリプロピレン（ＰＰ）フィルムからなり、長さ方向（フィルム分断線４１ａの方向）に裂けやすく形成されている。また、この外包フィルム４１は、厚さが２０〜２５μｍ程度であって、幅Ｗ１が１２ｃｍ、長さＬ１が２２．５ｃｍとされている。一方、帯状フィルム４４は、外包フィルム４１より厚い３５〜４０μｍのＰＰフィルムからなり、幅Ｗ２１５ｍｍとされ、長さが２２．５ｃｍとされている。
【００１１】
内包フィルム４２は、互いに側部が重なり合うように配された、厚さ２０〜２５μｍのＰＰからなる２枚の矩形フィルム４２ａ，４２ｂからなっている。また、重なり合った部分における長さ方向の中央部は、２枚の矩形フィルム４２ａ，４２ｂが互いに弱くヒートシールされ、この包装用フィルム４０の取り扱い時などにおいて、２枚の矩形フィルム４２ａ，４２ｂがばらけないようになっている。
また、外包フィルム４１と内包フィルム４２とは、周縁部４５がヒートシールされ、互いに接合されている。なお、周縁部４５のうち、帯状フィルム４４の近傍部４５ａは、ヒートシールされておらず、開口している。
【００１２】
そして、この例の包装用フィルム４０においては、外包フィルム４１の周縁部４５における帯状フィルム４４の一端４４ａに対応する箇所には、２カ所のノッチ４１ｂ，４１ｃが形成されている。具体的には、各ノッチ４１ｂ，４１ｃは、帯状フィルム４４の幅方向の両側端にほぼ一致するように、すなわち、帯状フィルム４４を挟むように、互いに間隔を有して形成されている。
したがって帯状フィルム４４は、上述したように湿気を防ぐ湿気防止帯として作用するだけでなく、詳しくは詳述するが、消費者が帯状フィルム４４の一端４４ａとともに外包フィルム４１に形成された２カ所のノッチ４１ｂ，４１ｃ間をつまんで引っぱることによって外包フィルム４１を、帯状フィルム４４の長さ方向に沿って切り開き、２片に分断するリードテープとしても作用する。
【００１３】
次に上述の包装用フィルム４０に貼着される粘着ラベルについて説明する。
図５は本発明の包装材に使用される粘着ラベル１０Ａの一実施形態例（以下、第１の粘着ラベルという。）を示す拡大平面図、図６は図５の粘着ラベル１０ＡのＩＩ−ＩＩ’線に沿う断面図であって、この例の粘着ラベル１０Ａは、図５中Ｌａの長さが５０ｍｍ程度の略正三角形とされ、基材フィルム２０の片面に粘着層３０が形成されて粘着面とされたものである。
この粘着ラベル１０Ａは、上述したおにぎり用の包装用フィルム４０に貼着され、おにぎりの中味、価格などを表示する印刷が、必要に応じて、基材フィルム２０の外表面に施され、おにぎりが店頭に陳列される際に表側となる部分に貼着されるものである。
【００１４】
この第１の粘着ラベル１０Ａには、図中符号１１で示すように１本のラベル分断線が形成されている。
ラベル分断線１１は、詳しくは後述するが、この例の粘着ラベル１０Ａが貼着された包装用フィルム４０を、包装用フィルム４０の外包フィルム４１に形成されたフィルム分断線４１ａに沿って引張って切り離す際に、貼着された粘着ラベル１０Ａも包装用フィルム４０とともに容易に切り離せるように誘導用として形成されたものである。また、このようなラベル分断線１１が形成されていると、これについても詳しくは後述するが、この第１の粘着ラベル１０Ａが貼着された包装用フィルム４０における帯状フィルム４４の一端４４ａとともに外包フィルム４１における２カ所のノッチ４１ｂ，４１ｃ間をつまんで引張った際に、包装用フィルム４０とともに粘着ラベル１０Ａも容易に分断することができる。
【００１５】
この例のラベル分断線１１は、端部近傍部１１ｂ，１１ｃと、これら端部近傍部以外の部分（以下、基幹部という。）１１ａとの３つの部分から構成され、両方の端部近傍部１１ｂ，１１ｃは、基幹部１１ａからみて、互いに略反対向きに折曲している。すなわち、この第１の粘着ラベル１０Ａにおいては、図５中Ｐで示す略正三角形の頂点からこの頂点に対向する辺に向かって図示略の垂線をひいた場合、ラベル分断線１１の基幹部１１ａはこの垂線に沿う直線に形成されているが、この基幹部１１ａに連続した端部近傍部のうち一方１１ｂは、この垂線よりも図中左側上方に向けて折曲し、他方１１ｃはこの垂線よりも図中右側下方に向けて折曲している。また、端部近傍部１１ｂ，１１ｃと、基幹部１１ａは、いずれも直線状に形成されている。
【００１６】
なお、この例においては、基幹部１１ａの長さは３３ｍｍとされ、端部近傍部１１ｂ，１１ｃと基幹部１１ａとがなす角度α，βは、いずれも１３５度程度となっている。
また、基材フィルム２０および粘着層３０の材質には特に制限はなく、基材フィルム２０としては、紙、樹脂フィルム、金属箔の他、樹脂コーティング紙など、これらが積層した積層体が挙げられ、粘着層３０としては、アクリル系粘着剤からなるものなど、通常の粘着ラベルに使用される材料を用いることができる。
【００１７】
また、この例のラベル分断線１１は、断続的に切断部が形成された、いわゆるミシン目によって形成されている。
特にこの例において基幹部１１ａは、２ｍｍ程度の長さの線状の切断部が、０．５ｍｍ程度の間隔をあけて形成され、全長が３３ｍｍ前後とされている。一方、両方の端部近傍部１１ｂ，１１ｃは、基幹部１１ａに連続して形成された１２ｍｍ程度の１本の線状の切断部を有し、この切断部は粘着ラベル１０Ａの周端に到達しないようにされている。すなわち、ラベル分断線１１の末端１１ｂ’，１１ｃ’には、切断部は形成されていない。
【００１８】
また、この第１の粘着ラベル１０Ａでは片面が粘着面となるように、片面全面に粘着層３０が形成されているが、粘着層３０におけるラベル分断線１１の周部、すなわち、粘着面側からみた平面図である図７中斜線で示す部分の粘着層３０には、粘着性を弱めるためのニスなどのいわゆる糊殺し剤が塗布され、粘着層３０における斜線以外の部分よりも、粘着強度が低い弱粘着部３０ａとなっている。この例において弱粘着部３０ａは、ラベル分断線１１をほぼ含むようにラベル分断線１１の基幹部１１ａに沿って幅Ｗ１５ｍｍの帯状に形成されている。
【００１９】
図８は、第２実施形態例の粘着ラベル（以下、第２の粘着ラベルという。）１０Ｂを粘着面側から見た平面図であって、縦（Ｌｂ）３５ｍｍ×横（Ｌｃ）５４ｍｍの矩形であり、第１の粘着ラベル１０Ａと同様に、基材フィルムの片面に粘着層が形成されたものである。
この第２の粘着ラベル１０Ｂも、上述したおにぎり用の包装用フィルム４０に貼着されるものであるが、第１の粘着ラベル１０Ａと異なり、おにぎりの加工業者、加工年月日、商品管理用バーコードなどを表示するために、店頭に陳列される際には裏側となる部分に貼着されるものである。
【００２０】
第２の粘着ラベル１０Ｂにも、図中符号１１で示すように、切り離しの誘導用として、１本のラベル分断線１１が形成されている。
この例のラベル分断線１１は、粘着ラベル１０Ｂにおける横方向の中央よりもずれた位置に、縦方向に沿って形成されていて、ラベル分断線１１により分けられた図中左側の部分の面積が、図中右側の部分の面積よりも大きくなっている。よって、例えばこの粘着ラベル１０Ｂの基材フィルムの外表面にバーコードを印刷する場合、図中左側の部分の基材フィルムに印刷することにより、バーコードがラベル分断線１１で分断されず、左側の部分におさまるようになっている。また、この例のラベル分断線１１は、端部近傍部１１ｂと、この端部近傍部１１ｂ以外の基幹部１１ａとの２つの部分から構成され、端部近傍部１１ｂは、基幹部１１ａから折曲して形成されている。なお、基幹部１１ａおよび端部近傍部１１ｂはいずれも直線状に形成されている。
【００２１】
また、この例においては、基幹部１１ａの長さは３１ｍｍとされ、端部近傍部１１ｂと基幹部１１ａとの角度γは１３５度程度となっている。
また、この例のラベル分断線１１において基幹部１１ａは、第１の粘着ラベル１０Ａの場合と同様にミシン目によって形成されている。一方、端部近傍部１１ｂは１つの４ｍｍ程度の切断部のみからなっている。また、この例ではラベル分断線１１における基幹部１１ａ側の末端１１ａ’には、切断部が形成されていない。
【００２２】
また、この例の第２の粘着ラベル１０Ｂにおいても、第１の粘着ラベル１０Ａと同様に、片面全体に形成された粘着層のうち、ラベル分断線１１の周部、すなわち、図８中斜線で示す部分には糊殺し剤が塗布され、斜線以外の部分よりも、粘着強度が低い弱粘着部３０ａとなっている。この例において弱粘着部３０ａは、ラベル分断線１１をほぼ含むように幅Ｗ１５ｍｍで縦に帯状に形成されている。
【００２３】
図９（ａ）（ｂ）は、図１〜４の例の包装用フィルム４０と第１および第２の粘着ラベル１０Ａ，１０Ｂとからなる包装材で包装された包装済みおにぎり５０を示す斜視図である。以下、第１および第２の粘着ラベル１０Ａ，１０Ｂを、包装用フィルム４０とともに使用しておにぎりを包装する方法について説明する。
【００２４】
まず、包装用フィルム４０を、図１０に示すように内包フィルム４２が上側となるように配置し、この包装用フィルム４０の長さ方向における中央部に、三角に握られたご飯４７の一側面を接触させ、立てるように載せる。ついで、包装用フィルム４０においてご飯４７よりも図中前方の部分と、図中後方の部分とを、ご飯４７を挟むようにして立ち上げて、ご飯４７における２つの三角形面に対して包装用フィルム４０を被せる。ついで、ご飯４７よりも図中後方の部分を、図中前方側の三角形面にまでに延出するように覆い被せて、この覆い被せた箇所には、図９（ｂ）に示すように、第２の粘着ラベル１０Ｂを貼着して、包装用フィルム４０が開かないように留める。
一方、第２の粘着ラベル１０Ｂが貼着されていない側の三角形面に対して、図９（ａ）のように第１の粘着ラベル１０Ａを貼着する。
【００２５】
そして、この際、第１および第２の粘着ラベル１０Ａ，１０Ｂを貼着するにあたっては、図９（ａ）（ｂ）に示すように、それぞれの粘着ラベル１０Ａ，１０Ｂにおける基幹部１１ａが、包装用フィルム４０の外包フィルム４１に形成されたフィルム分断線４１ａに沿うように貼着する。
このようにして第１および第２の粘着ラベル１０Ａ，１０Ｂを貼着すると、図１１に示すように、左手でこの包装済みおにぎり５０を掴み、右手で包装用フィルム４０の耳部４６を図中矢印方向に引張った際に、これら粘着ラベル１０Ａ，１０Ｂも、フィルム分断線４１ａで切り離される包装用フィルム４０とともに、それぞれラベル分断線１１から容易に切り離され、１回の操作で、ご飯４７と板海苔４３とを接触させ、おにぎりとして取り出すことができる。
【００２６】
特に、第１の粘着ラベル１０Ａにおいては、ラベル分断線１１が、端部近傍部１１ｂ，１１ｃと、これらをつなぐ基幹部１１ａとの３つの部分から構成され、両方の端部近傍部１１ｂ，１１ｃは、基幹部１１ａから互いに略反対向きに折曲している。そのため、この粘着ラベル１０Ａが貼着された包装用フィルム４０で包装された包装済みおにぎり５０を、図１１のように右手で矢印方向に引張った場合、端部近傍部１１ｂ，１１ｃの向きは、引張る方向に対して略垂直ではなく斜めになっているので、粘着ラベル１０Ａが非常に切り離されやすくなる。また、図１１に示すようにして左手で包装済みおにぎり５０を掴み、右手で耳部４６を引張った場合、図１２を示して説明するように、点Ｑで示される頂点を支点とした矢印方向の力が作用しやすくなり、容易に切り離せるようになるとも考えられる。
また、第２の粘着ラベル１０Ｂは、端部近傍部１１ｂと、この端部近傍部１１ｂ以外の基幹部１１ａとの２つの部分から構成され、一方の端部近傍部１１ｂのみが基幹部１１ａから折曲して形成されている。このように、第２の粘着ラベル１０Ｂでは、一方の端部近傍部１１ｂのみが折曲しているが、この場合でも、端部近傍部１１ｂは、引張る方向に対して略垂直ではなく斜めになることなどから、第１の粘着ラベル１０Ａの場合と同様の効果が発現すると考えられる。
【００２７】
このような包装済みおにぎり５０においては、図１１に示したように、左右に引張る１回の操作でご飯４７と板海苔４３とを接触させることが可能であるが、他の方法でご飯４７と板海苔４３とを接触させることもできる。
すなわち、図１３に示すように、帯状フィルム４４の一端４４ａとともに外包フィルム４１における２カ所のノッチ間をつまんで引き下げ、一周させる。すると、帯状フィルム４４がリードテープとして作用し、外包フィルム４１を左右に分断し、さらに貼着された第１の粘着ラベル１０Ａ、図１３においては図示略の第２の粘着ラベルを、順次、外包フィルム４１とともに分断していく。こうして、外包フィルム４１と粘着ラベル１０Ａ，１０Ｂとを分断した後、左右に分断された２片の包装用フィルムをそれぞれ左右に引張ることによって、ご飯４７と板海苔４３とを接触させることできる。なお、この際、特に外包フィルム４１は、フィルム分断線４１ａの方向に沿って裂けやすく形成されているので、外包フィルム４１は容易に帯状フィルム４４によって容易に切り裂かれるようになっているが、外包フィルム４１は必ずしもこのような方向性を有していなくてもよい。
【００２８】
以上説明したように、このような包装済みおにぎり５０においては、フィルム分断線４１ａにより２片に切り離される外包フィルム４１と、フィルム分断線４１ａを覆うように外包フィルム４１の一方の面側に重ねて設けられた帯状フィルム４４とを少なくとも備えた包装用フィルム４０に、少なくとも一方の端部近傍部１１ｂ，１１ｃが折曲して形成されたラベル分断線１１により２片に切り離される粘着ラベル１０Ａ，１０Ｂが、外包フィルム４２の他方の面側に、フィルム分断線４１ａとラベル分断線１１とが沿うように貼着された包装材を使用していて、かつ、外包フィルム４１の周縁部４５における帯状フィルム４４の一端４４ａに対応する箇所には、２カ所のノッチ４１ｂ，４１ｃが形成されているので、図１１に示したような方法と、図１３に示したような方法の２つの方法でおにぎりを取り出すことができる。
よって、消費者は、どちらか好みの方法でおにぎりを取り出すことが可能であるし、万一、図１１の方法ではうまくおにぎりを取り出すことができなかったり、あるいは、図１１の方法でおにぎりを取り出せることに気づかなかった場合などに、図１３の方法でおにぎりを取り出すことができる。さらには、図１１と図１３とを合わせた方法でもおにぎりを取り出すことができる。すなわち、まずは図１３に示すように、帯状フィルム４４の一端４４ａとともに外包フィルム４１における２カ所のノッチ４１ｂ，４１ｃ間をつまんで引き下げ、第１の粘着ラベル１０Ａを外包フィルム４１とともに分断する。ついで、引き続き帯状フィルム４４を一周させるかわりに、図１１のようにして左右に引張る。このような操作によって、ご飯４７と板海苔４３とを接触させてもよい。
【００２９】
なお、以上の例においては包装用フィルム４０として、外包フィルム４１、内包フィルム４２、帯状フィルム４４のいずれもが、ＰＰからなるものを使用しているが、材質はＰＰに限定されず、ポリエチレン（ＰＥ）などの他のポリオレフィン系樹脂や、ポリエチレンテレフタレート（ＰＥＴ系）などのポリエステル系樹脂を使用してもよい。また、外包フィルム４１としてＰＰを使用した場合、帯状フィルム４４としてＰＰよりも強度の大きなＰＥＴなどを使用することによって、図１３の方法で外包フィルム４１および貼着された粘着ラベル１０Ａ，１０Ｂを分断する途中において、帯状フィルム４４が破断することなく、円滑に分断することができる。しかしながら、ＰＥＴはＰＰに比べて高価であり、また、ＰＰとＰＥＴを組み合わせて使用すると廃棄時の分別などの手間が増える可能性もあることから、外包フィルム４１、内包フィルム４２、帯状フィルム４４にはいずれも安価なＰＰを使用することが好ましい。また、その場合、帯状フィルム４４の厚みを外包フィルム４１よりも厚くすることによって、帯状フィルム４４の破断の可能性を低くすることができる。
【００３０】
また、以上の例においては包装用フィルム４０の外包フィルム４１として、フィルム分断線４１ａの方向に沿って裂けやすく形成されているものを使用しているが、すでに述べたとおり特に裂けやすく形成されたものでなくても良いし、フィルム分断線４１ａの存在を示すための線状の印刷も施されていなくてもよい。また、以上の例においては外包フィルム４１に形成された各ノッチ４１ｂ，４１ｃは、帯状フィルム４４の幅方向の両側端にほぼ一致するように形成され、これらの間隔は帯状フィルム４４の幅と同程度であるが、帯状フィルム４４の幅よりも多少大きくてもよい。また、ノッチ４１ｂ，４１ｃの形状も、Ｖ字状、Ｕ字状、Ｉ字状など制限はない。
【００３１】
また、第１および第２の粘着ラベル１０Ａ，１０Ｂにおいては、端部近傍部１１ｂ，１１ｃと基幹部１１ａとの角度α，β，γは、いずれも１３５度となっているが、１３５度に限定されず、好ましくは９０度を超えた角度、さらに好ましくは１２０〜１５０度、より好ましくは１３０〜１４０度の範囲である。また、第１の粘着ラベル１０Ａにおいて、角度αと角度βとが異なっていても良い。
また、基幹部１１ａと、端部近傍部１１ｂ，１１ｃとの長さの比率は、第１の粘着ラベル１０Ａの大きさ、要求される切り離し性などに応じて適宜設定できるが、第１の粘着ラベル１０Ａのように、両方の端部近傍部１１ｂ，１１ｃが折曲していて、図９（ａ）のように包装済みおにぎり５０に貼着される用途の場合には、基幹部１１ａの長さは、通常、ラベル分断線１１の全体の長さの５０〜９０％、好ましくは５０〜７０％とする。なお、図５に示す第１の粘着ラベル１０Ａの場合、基幹部１１ａの長さは、ラベル分断線１１の全体の長さの５７％程度である。一方、第２の粘着ラベル１０Ｂのように、一方の端部近傍部１１ｂｃのみが基幹部１１ａから折曲していて、図９（ｂ）のように包装済みおにぎり５０に貼着される用途の場合には、基幹部１１ａの長さは、通常、ラベル分断線１１の全体の長さの６０〜９５％、好ましくは７０〜９５％とする。なお、図８に示す第２の粘着ラベル１０Ｂの場合、基幹部１１ａの長さは、ラベル分断線１１の全体の長さの８９％程度である。
【００３２】
さらに第１の粘着ラベル１０Ａにおいては、形成されているラベル分断線１１の両方の末端１１ｂ’，１１ｃ’には切断部が形成されていない。よって、粘着ラベル１０Ａを輸送する際などに、この粘着ラベル１０Ａに対して振動など外部から何らかの力が加わった場合でも、この粘着ラベル１０Ａが、ラベル分断線１１の末端１１ｂ’，１１ｃ’から切り離されにくい。一方、この末端１１ｂ‘１１ｃ’  以外の端部近傍部１１ｂ，１１ｃは、１つの切断部からなっているので、第１の粘着ラベル１０Ａをラベル分断線１１から切り離そうとして力を加えた場合に、末端１１ｂ’，１１ｃ’さえ切り離すことができれば、容易に連続的に切り離し続けることができる。
なお、第１の粘着ラベル１０Ａにおいては、このようにラベル分断線１１の両方の末端１１ｂ’，１１ｃ’に切断部が形成されていないが、第２の粘着ラベル１０Ｂのように、一方の末端１１ａ’のみに切断部が形成されていない状態となっていてもよい。
【００３３】
また、これらの例のラベル分断線１１は、基幹部１１ａは２ｍｍ程度の長さの断続的な切断部からなっているが、切断部の長さは、適宜設定すればよく制限はない。また、第１の粘着ラベル１０Ａの端部近傍部１１ｂ，１１ｃは、その末端１１ｂ，１１ｃには切断部が形成されておらず、それ以外は比較的長い１２ｍｍ程度の１つの切断部からなっていて、輸送時なとには容易に切り離されにくく、一方、力を加えた際には容易に切り離せるようになっているが、この形態に限定されず、基幹部１１ａと同様に、断続的な複数の切断部が形成された形態であってもよい。
【００３４】
さらに、これらの粘着ラベル１０Ａ，１０Ｂにおいては、粘着層３０におけるラベル分断線１１の周部が、周部以外の部分よりも、粘着強度が低くなるように糊殺し剤により処理されている。仮に、弱粘着部３０ａが設けられていない場合には、フィルム分断線４１ａと基幹部１１ａがずれた状態で粘着ラベル１０Ａ，１０Ｂが貼着されると、粘着ラベル１０Ａ，１０Ｂが包装用フィルム４０のフィルム分断線４１ａからの切り離しを妨げてしまう可能性がある。しかし、この例のように弱粘着部３０ａがあれば、図９に示すようにして、おにぎりを包装している包装用フィルム４０のフィルム分断線４１ａにラベル分断線１１の基幹部１１ａが沿うように、粘着ラベル１０Ａ，１０Ｂを貼着する際に、若干、フィルム分断線４１ａと基幹部１１ａとがずれてしまっても、フィルム分断線４１ａが糊殺し処理された弱粘着部３０ａ内におさまる程度のずれであれば、切り離し性がほとんど低下しない。
また、ここで、ラベル分断線１１の周部の粘着強度を低くするためには、あらかじめその部分に粘着層１３を設けない方法も考えられる。ただし、粘着層１３を設けてから糊殺し剤で処理する方法では、その部分の粘着強度はある程度は維持されるため、粘着ラベル１０Ａ，１０Ｂを剥離シート上に貼着した状態で輸送する際などに、その部分が弱く剥離シートに粘着し、その結果、ラベル分断線１１が輸送中の振動などで切り離されてしまうことを抑制できるのでより好ましい。
【００３５】
さらに、以上例示した第１および第２の粘着ラベル１０Ａ，１０Ｂにおいては、端部近傍部１１ｂ，１１ｃと基幹部１１ａは、いずれも直線状に形成されているが、例えば、図１４〜１６に示すように、基幹部１１ａが直線ではなく、波線状や連続した折れ線状に形成されていてもよい。このように基幹部１１ａが直線状でなく波線状や連続した折れ線状に形成されていても、第１および第２の粘着ラベル１０Ａ，１０Ｂの場合と同様にこれらを包装済みおにぎり５０に貼着した場合、図１１のように右手で矢印方向に引張って、包装材４０のミシン目４２ａとともに容易に切り離すことができるし、図１３のように分断することもできる。また、これら粘着ラベル１０Ａ’，１０Ａ”，１０Ｂ’を貼着する場合にも、基幹部１１ａの全体としての向きはフィルム分断線４１ａに沿うように貼着する。
【００３６】
また、特に図８に示した第２の粘着ラベル１０Ｂのように、商品管理用バーコードなどが印刷され、店頭に陳列される際には包装済みおにぎり５０の裏側となる部分に貼着される形態のものの場合には、図１７の平面図に示すように、ラベル分断線１１の方向（基幹部１１ａの方向）が必ずしもその粘着ラベル１０Ｂ”の縦方向と平行でなく、若干斜めに傾いた状態となっていてもよい。この例では、傾きの角度は２５°程度である。また、図中符号Ｒは、この粘着ラベル１０Ｂ”の横方向の中心線である。
このようにラベル分断線１１の向きが斜めであると、ラベル分断線１１により分けられた図中左側の部分の面積が、図８の場合と同様に、図中右側の部分の面積よりも大きくなる。その結果、この粘着ラベル１０Ｂ”の基材フィルムの外表面にバーコードを印刷するに際に、図中左側の部分の基材フィルムに印刷することにより、バーコードがラベル分断線１１で分断されず、左側の部分におさまるようになる。また、この粘着ラベル１０Ｂ”の粘着面においても、図中斜線で示すように、ラベル分断線１１の周部は斜線以外の部分よりも、粘着強度が低い弱粘着部３０ａとなっている。よって、図１８に示すように、包装済みおにぎり５０に貼着した場合、基幹部１１ａが傾いているためにフィルム分断線４１ａとは重ならないが、フィルム分断線４１ａが弱粘着部３０ａ内におさまるように貼着するかぎり、切り離し性が低下しない。また、図８の粘着ラベル１０Ｂの場合、基幹部１１ａとフィルム分断線４１ａとが略沿うようにこの粘着ラベル１０Ｂを貼着しようとすると、粘着ラベル１０Ｂを包装済みおにぎり５０の裏面中央ではなく、横方向にずらして貼る必要があるが、この例の粘着ラベル１０Ｂ”の場合には、中央に貼着することができるため、貼着工程における位置合わせの手間が省ける。
【００３７】
なお、各粘着ラベル１０Ａ，１０Ａ’，１０Ａ”，１０Ｂ，１０Ｂ’，１０Ｂ”（以下粘着ラベル１０Ａ〜Ｂ”と表記する。）の製造方法としては特に制限はないが、基材フィルム２０の片面に粘着層３０が形成され、粘着層３０には剥離シートが設けられた長尺テープを、基材フィルム２０側が上側となるように連続的に引き出し、これを抜き型で打ち抜いて、外形の形成とラベル分断線１１の形成とを同時に行って粘着ラベルを製造する方法が好ましい。すなわち、第１の粘着ラベル１０Ａの場合には、抜き型として、テープを略正三角形に打ち抜ける断面略正三角形の筒状の型と、図１に示したように特定のラベル分断線１１を形成可能な刃とを備えたものを使用する。なお、この際、剥離シートは打ち抜かない。
このように抜き型を使用し、抜き型に対して連続的にテープを供給することによって、多数枚の粘着ラベル１０Ａ〜Ｂ”を連続的に製造することができる。
また、粘着ラベルの外形としては、略正三角形、矩形に限定されず、円形、楕円形、半円形、正方形、多角形など、いかなる形であってもよい。
【００３８】
なお、以上の説明においては、包装材で包装される対象物として、おにぎりを例示したが、例えば、手巻き寿司、サンドイッチ、菓子パン、菓子など他の食品であってもよいし、食品以外のものを包装してもよい。なお、サンドイッチなどを包装する場合などには、板海苔４３は不要であるので、内包フィルム４２も不要となり、包装用フィルムとして、外包フィルム（主フィルム）と帯状フィルムとを少なくとも有したものを使用すればよい。
【００３９】
【発明の効果】
以上説明したように本発明の包装材によれば、粘着ラベルが貼着されていても、両手で左右に引張った際には、フィルム分断線から容易に切り離して内容物を取り出すことができ、しかも、帯状フィルムをリードテープとして使用する方法でも容易に内容物を取り出すことができ、消費者が２種の方法で開封することができる。よって、コンビニエンスストアなどで販売されるおにぎり、手巻き寿司などの食品を包装する包装材として好適である。
【図面の簡単な説明】
【図１】本発明の包装材に使用される包装用フィルムの一例を示す一部を破断した斜視図である。
【図２】図１の包装用フィルムの分解図である。
【図３】図１の包装用フィルムのＩ−Ｉ”線に沿う断面図である。
【図４】図１の包装用フィルムの部分拡大平面図である。
【図５】第１の実施形態例の粘着ラベルを基材フィルム側から見た拡大平面図である。
【図６】図１のＩＩ−ＩＩ’線に沿う断面図である。
【図７】第１の実施形態例の粘着ラベルを粘着面側から見た平面図である。
【図８】第２の実施形態例の粘着ラベルを粘着面側から見た平面図である。
【図９】図５および図８の粘着ラベルが貼着された包装用フィルムで包装された包装済みおにぎりを示す斜視図である。
【図１０】図１の包装用フィルム上に握られたご飯を載置した状態を示す斜視図である。
【図１１】図９の包装済みおにぎりの包装材を切り離す一方法を説明する説明図である。
【図１２】図９の包装済みおにぎりの包装材を切り離す際に、包装材に貼着されている粘着ラベルに作用する力を説明する平面図である。
【図１３】図９の包装済みおにぎりの包装材を切り離す他の一方法を説明する説明図である。
【図１４】粘着ラベルの他の例を示す基材フィルム側から見た平面図である。
【図１５】粘着ラベルの他の例を示す基材フィルム側から見た平面図である。
【図１６】粘着ラベルの他の例を示す基材フィルム側から見た平面図である。
【図１７】粘着ラベルの他の例を示す粘着面側から見た平面図である。
【図１８】図１７の粘着ラベルが貼着された包装用フィルムで包装された包装済みおにぎりを示す斜視図である。
【符号の説明】
１０Ａ，１０Ｂ，１０Ａ’，１０Ｂ’，１０Ａ”，１０Ｂ”・・・粘着ラベル，１１・・・ラベル分断線，１１ｂ，１１ｃ・・・端部近傍部，３０・・・粘着層，４０・・・包装用フィルム，４１・・・外包フィルム，４１ａ・・・フィルム分断線，４２・・・内包フィルム，４４・・・帯状フィルム，４４ａ・・・帯状フィルムの一端，４５・・・周縁部
【図１】
2004244091.tif 000003
【図２】
2004244091.tif 000004
【図３】
2004244091.tif 000005
【図４】
2004244091.tif 000006
【図５】
2004244091.tif 000007
【図６】
2004244091.tif 000008
【図７】
2004244091.tif 000009
【図８】
2004244091.tif 000010
【図９】
2004244091.tif 000011
【図１０】
2004244091.tif 000012
【図１１】
2004244091.tif 000013
【図１２】
2004244091.tif 000014
【図１３】
2004244091.tif 000015
【図１４】
2004244091.tif 000016
【図１５】
2004244091.tif 000017
【図１６】
2004244091.tif 000018
【図１７】
2004244091.tif 000019
【図１８】
2004244091.tif 000020